(57)【要約】【課題】利用者の携帯端末装置で無線ＩＣタグを読み取らせ、その携帯端末装置に正確で信頼できる位置情報を伝える位置情報取得システムを提供する。【解決手段】施設に取り付けた無線ＩＣタグと携帯端末装置と位置情報管理サーバを用いる位置情報取得システムを用い、前記無線ＩＣタグがワンタイム情報生成手段を有し、前記無線ＩＣタグの位置情報をタグ設置位置データベースに記録し、前記無線ＩＣタグが前記ワンタイム情報生成手段を用いて作成したワンタイム情報を用いてユニークＵＲＬデータを作成し前記携帯端末装置に送信し、前記位置情報管理サーバが前記携帯端末装置から前記ユニークＵＲＬデータを受信し、該ユニークＵＲＬデータを、前記無線ＩＣタグと同じ計算手順で演算して作成したユニークＵＲＬデータと照合する事で前記無線ＩＣタグを認証した上で前記前記携帯端末装置にコンテンツデータを送信する。【選択図】図１
2020098392.tif 000002
【特許請求の範囲】
【請求項１】
施設に取り付けた無線ＩＣタグと携帯端末装置と位置情報管理サーバを用いる位置情報取得システムであって、
位置情報管理サーバが、前記無線ＩＣタグの位置情報をタグ設置位置データベースに記録し、
前記無線ＩＣタグが、ワンタイム情報生成手段を有し、
前記ワンタイム情報生成手段を用いて作成したワンタイム情報を用いてユニークＵＲＬデータを作成し前記携帯端末装置に送信し、
前記位置情報管理サーバが前記携帯端末装置から前記ユニークＵＲＬデータを受信し、該ユニークＵＲＬデータを、前記無線ＩＣタグと同じ計算手順で演算して作成したユニークＵＲＬデータと照合する事で前記無線ＩＣタグを認証した上で前記携帯端末装置にコンテンツデータを送信する、
ことを特徴とする位置情報取得システム。
【請求項２】
請求項１記載の位置情報取得システムであって、前記ワンタイム情報生成手段が、タイムスタンプ生成器であることを特徴とする位置情報取得システム。
【請求項３】
請求項１記載の位置情報取得システムであって、前記ワンタイム情報生成手段が、カウンタ手段であることを特徴とする位置情報取得システム。
【請求項４】
請求項１から３の何れか一項に記載の位置情報取得システムであって、
前記無線ＩＣタグが、前記ワンタイム情報生成手段と暗号処理手段とユニークＵＲＬデータ作成手段を有し、前記位置情報管理サーバが、サーバ側暗号処理手段を有し、
前記位置情報管理サーバが、前記無線ＩＣタグ毎に暗号鍵を定め前記無線ＩＣタグに記憶させるとともに、前記タグ設置位置データベースに記憶させ、
前記無線ＩＣタグの前記暗号処理手段が前記ワンタイム情報と前記暗号鍵を用いて暗号化文字列を作成し、
前記ユニークＵＲＬデータ作成手段が、前記ワンタイム情報と前記暗号化文字列を用いて前記ユニークＵＲＬデータを作成し、
前記位置情報管理サーバが、前記ユニークＵＲＬデータから前記タグＩＤ番号と前記ワンタイム情報を抽出し、
前記サーバ側暗号処理手段が、前記ワンタイム情報と、前記タグ設置位置データベースから読み出した前記無線ＩＣタグの前記暗号鍵を用いて暗号化文字列を作成し、
前記位置情報管理サーバが、前記ワンタイム情報と前記暗号化文字列を用いてユニークＵＲＬデータを作成し、該ユニークＵＲＬデータを前記携帯端末装置から受信した前記ユニークＵＲＬデータと照合する、
ことを特徴とする位置情報取得システム。
【請求項５】
請求項４記載の位置情報取得システムであって、
前記無線ＩＣタグが、前記携帯端末装置からユニークＵＲＬデータ要求コマンドを受信した場合に、前記暗号処理手段が、前記無線ＩＣタグのタグＩＤ番号と前記ワンタイム情報と前記暗号鍵から暗号化文字列を作成し、前記ユニークＵＲＬデータ作成手段が、前記タグＩＤ番号と前記ワンタイム情報と前記暗号化文字列を組み合わせたユニークＵＲＬデータを作成し、前記携帯端末装置に返信し、
前記位置情報管理サーバが、前記携帯端末装置を介して前記無線ＩＣタグが作成した前記ユニークＵＲＬデータを受信した場合に、
前記サーバ側暗号処理手段が前記タグＩＤ番号と前記ワンタイム情報と前記暗号鍵から暗号化文字列を作成し、
前記位置情報管理サーバが、前記タグＩＤ番号と前記ワンタイム情報と前記暗号化文字列
を組み合わせてユニークＵＲＬデータを作成し、該ユニークＵＲＬデータが前記無線ＩＣタグの作成した前記ユニークＵＲＬデータと一致した場合に、前記携帯端末装置にコンテンツデータを送信する、
ことを特徴とする位置情報取得システム。
【発明の詳細な説明】
【技術分野】
【０００１】
本発明は、携帯端末装置で無線ＩＣタグを読み取った際に、携帯端末装置に正確で信頼できる位置情報を伝える位置情報取得システムに関する。
【背景技術】
【０００２】
従来からの技術として、ＲＦＩＤを使用して位置情報を特定する技術がある。特許文献１では、無線ＩＣタグ内に位置情報を格納しておき、その情報を読み取ることで位置を伝える位置情報取得システムが開示されている。
【０００３】
また、特許文献２では無線ＩＣタグを持っている人の位置を判定し、判定した位置によって提供するサービスを変えることができるシステムが開示されている。
【先行技術文献】
【特許文献】
【０００４】
【特許文献１】特開２０１０−１０７５１４号公報
【特許文献２】国際公開第２０１４／０４１６２３号
【発明の概要】
【発明が解決しようとする課題】
【０００５】
しかし、特許文献１の技術では、無線ＩＣタグに格納されている位置情報が改ざんされた場合は、本来の位置情報とは異なる位置が表示されてしまう問題があった。
【０００６】
また、特許文献２の技術では、ＵＨＦ帯の長距離通信ができる無線ＩＣタグを用いていて、また、施設に設置してあるリーダ／ライタが無線ＩＣタグを読取り、無線ＩＣタグの設置位置を判別する。しかし、特許文献２の技術で、施設内でピンポイントの誘導やコンテンツを提供しようとする場合に、施設に設置するリーダ／ライタの設置スペースが必要である問題があった。
【０００７】
そのため、本発明の課題は、上記の問題を解決し、利用者の携帯端末装置で無線ＩＣタグを読み取らせ、その携帯端末装置に正確で信頼できる位置情報を伝える位置情報取得システムを提供することにある。
【課題を解決するための手段】
【０００８】
本発明は上記の課題を解決するために、施設に取り付けた無線ＩＣタグと携帯端末装置と位置情報管理サーバを用いる位置情報取得システムであって、
位置情報管理サーバが、前記無線ＩＣタグの位置情報をタグ設置位置データベースに記録し、
前記無線ＩＣタグが、ワンタイム情報生成手段を有し、
前記ワンタイム情報生成手段を用いて作成したワンタイム情報を用いてユニークＵＲＬデータを作成し前記携帯端末装置に送信し、
前記位置情報管理サーバが前記携帯端末装置から前記ユニークＵＲＬデータを受信し、該ユニークＵＲＬデータを、前記無線ＩＣタグと同じ計算手順で演算して作成したユニークＵＲＬデータと照合する事で前記無線ＩＣタグを認証した上で前記携帯端末装置にコンテンツデータを送信する、
ことを特徴とする位置情報取得システムである。
【０００９】
本発明は、この構成により、無線ＩＣタグの位置情報はタグ設置位置データベースに記
録され、また、その無線ＩＣタグが作成するユニークＵＲＬデータが、毎回異なる値になるので、無線ＩＣタグを偽装して位置情報を偽装することが困難である。それにより、利用者の携帯端末装置が無線ＩＣタグからユニークＵＲＬデータを受信して位置情報管理サーバに送信することで、位置情報管理サーバが無線ＩＣタグを認証して、利用者の携帯端末装置に正確で信頼できる位置情報を伝えることができる効果がある。
【００１０】
また、本発明は、上記の位置情報取得システムであって、前記ワンタイム情報生成手段が、タイムスタンプ生成器であることを特徴とする位置情報取得システムである。
【００１１】
また、本発明は、上記の位置情報取得システムであって、前記ワンタイム情報生成手段が、カウンタ手段であることを特徴とする位置情報取得システムである。
【００１２】
また、本発明は、上記の位置情報取得システムであって、
前記無線ＩＣタグが、前記ワンタイム情報生成手段と暗号処理手段とユニークＵＲＬデータ作成手段を有し、前記位置情報管理サーバが、サーバ側暗号処理手段を有し、
前記位置情報管理サーバが、前記無線ＩＣタグ毎に暗号鍵を定め前記無線ＩＣタグに記憶させるとともに、前記タグ設置位置データベースに記憶させ、
前記無線ＩＣタグの前記暗号処理手段が前記ワンタイム情報と前記暗号鍵を用いて暗号化文字列を作成し、
前記ユニークＵＲＬデータ作成手段が、前記ワンタイム情報と前記暗号化文字列を用いて前記ユニークＵＲＬデータを作成し、
前記位置情報管理サーバが、前記ユニークＵＲＬデータから前記タグＩＤ番号と前記ワンタイム情報を抽出し、
前記サーバ側暗号処理手段が、前記ワンタイム情報と、前記タグ設置位置データベースから読み出した前記無線ＩＣタグの前記暗号鍵を用いて暗号化文字列を作成し、
前記位置情報管理サーバが、前記ワンタイム情報と前記暗号化文字列を用いてユニークＵＲＬデータを作成し、該ユニークＵＲＬデータを前記携帯端末装置から受信した前記ユニークＵＲＬデータと照合する
ことを特徴とする位置情報取得システムである。
【００１３】
また、本発明は、上記の位置情報取得システムであって、
前記無線ＩＣタグが、前記携帯端末装置からユニークＵＲＬデータ要求コマンドを受信した場合に、前記暗号処理手段が、前記無線ＩＣタグのタグＩＤ番号と前記ワンタイム情報と前記暗号鍵から暗号化文字列を作成し、前記ユニークＵＲＬデータ作成手段が、前記タグＩＤ番号と前記ワンタイム情報と前記暗号化文字列を組み合わせたユニークＵＲＬデータを作成し、前記携帯端末装置に返信し、
前記位置情報管理サーバが、前記携帯端末装置を介して前記無線ＩＣタグが作成した前記ユニークＵＲＬデータを受信した場合に、
前記サーバ側暗号処理手段が前記タグＩＤ番号と前記ワンタイム情報と前記暗号鍵から暗号化文字列を作成し、
前記位置情報管理サーバが、前記タグＩＤ番号と前記ワンタイム情報と前記暗号化文字列を組み合わせてユニークＵＲＬデータを作成し、該ユニークＵＲＬデータが前記無線ＩＣタグの作成した前記ユニークＵＲＬデータと一致した場合に、前記携帯端末装置にコンテンツデータを送信する
ことを特徴とする位置情報取得システムである。
【発明の効果】
【００１４】
本発明によれば、無線ＩＣタグの位置情報はタグ設置位置データベースに記録され、また、その無線ＩＣタグが作成するユニークＵＲＬデータが、毎回異なる値になる。そのため、無線ＩＣタグを偽装して位置情報を偽装することが困難である。それにより、利用者
の携帯端末装置が無線ＩＣタグからユニークＵＲＬデータを受信して位置情報管理サーバに送信することで、位置情報管理サーバが無線ＩＣタグを認証して、利用者の携帯端末装置に正確で信頼できる位置情報を伝えることができる効果がある。
【図面の簡単な説明】
【００１５】
【図１】本発明の第１の実施形態の位置情報取得システムの構成を示すブロック図である。
【図２】本発明の第１の実施形態の位置情報取得システムの動作を示すフローチャート（その１）である。
【図３】本発明の第１の実施形態の位置情報取得システムの動作を示すフローチャート（その２）である。
【図４】本発明の第２の実施形態の位置情報取得システムの構成を示すブロック図である。
【図５】本発明の第２の実施形態の位置情報取得システムの動作を示すフローチャートである。
【発明を実施するための形態】
【００１６】
＜第１の実施形態＞
図１は、この発明の第１の実施形態の位置情報取得システムの構成を示す概略ブロック図である。以下で図１から図９を用いて、本発明の第１の実施形態を説明する。
【００１７】
（システム構成）
第１の実施形態の位置情報取得システムは、図１の様に、店舗に設置した無線ＩＣタグ１０と、携帯端末装置２０と、携帯電話網や無線ＬＡＮ網などの無線通信網の通信ネットワーク１００で接続した位置情報管理サーバ３０を用いる。
【００１８】
無線ＩＣタグ１０は、図１の様に、暗号鍵Ｋｅｙを記憶する手段と、ワンタイム情報生成手段であるタイムスタンプ生成器１２と、暗号処理手段１３とユニークＵＲＬデータ作成手段１４を持つ。
【００１９】
無線ＩＣタグ１０の暗号処理手段１３は、暗号鍵Ｋｅｙを用いて暗号化文字列ＳＥＣを作成し、ユニークＵＲＬデータ作成手段１４は、その暗号化文字列ＳＥＣと、タグＩＤ番号ＵＩＤとタイムスタンプＴＩＭの情報を組み合わせたユニークＵＲＬデータＵＲＬを作成する。無線ＩＣタグ１０は、タグ取外し検知手段１５を持つこともできる。
【００２０】
無線ＩＣタグ１０は、携帯端末装置２０からのアクセス毎にユニークＵＲＬデータ作成手段１４を用いて、タグＩＤ番号ＵＩＤの情報を含むユニークＵＲＬデータＵＲＬを新たに作成して、携帯端末装置２０へ送信する。
【００２１】
携帯帯端末装置１０は、無線ＩＣタグ１０から受信したユニークＵＲＬデータＵＲＬを位置情報管理サーバ３０へ送信する。
【００２２】
位置情報管理サーバ３０は、タグ設置位置データベース３１からＩＣタグ配布情報３１ａのデータを読み出し、その情報を用いてサーバ側ユニークＵＲＬデータ作成手段がユニークＵＲＬデータＵＲＬを作成し、それを携帯端末装置２０を介して無線ＩＣタグ１０から受信したユニークＵＲＬデータＵＲＬと照合することで、無線ＩＣタグ１０を認証する。
【００２３】
（無線ＩＣタグ１０）
本実施形態の無線ＩＣタグ１０は、図１の様に、携帯端末装置２０の近距離通信手段２
１と通信する、ＮＦＣ通信や無線ＬＡＮ等の近距離無線通信手段１１を有する。また、無線ＩＣタグ１０は、暗号鍵Ｋｅｙを記憶する手段と、タイムスタンプ生成器１２と、暗号処理手段１３と、ユニークＵＲＬデータ作成手段１４を有する。無線ＩＣタグ１０は、タグ取外し検知手段１５を備えることもできる。
【００２４】
無線ＩＣタグ１０は、その無線ＩＣタグ１０用のユニークなＩＤ番号（タグＩＤ番号ＵＩＤ）を記憶し、また、タグ取外し検知フラグＯＰＦを記憶することもできる。
【００２５】
（暗号鍵Ｋｅｙ）
位置情報取得システム事業者が、位置情報管理サーバ３０から無線ＩＣタグ１０の暗号鍵Ｋｅｙのデータを受け取り、拠点端末装置４０のリーダライタによって無線ＩＣタグ１０に書き込む。
【００２６】
その上で、位置情報取得システム事業者が、位置情報取得システムを利用する施設運営者に無線ＩＣタグ１０を配布する。
【００２７】
（超低速クロックとタイムスタンプ生成器１２）
無線ＩＣタグ１０は、タイムスタンプ生成器１２によるタイムスタンプＴＩＭの生成のために、「超低速クロック」を備えて用いる。例えば３．８Ｈｚの「超低速クロック」を用いて、タグ１００が実質的な処理をしない、低電力の「アイドル」または「スリープ」状態でタイムスタンプ生成器１２がタイムスタンプＴＩＭを生成する。
【００２８】
（暗号処理手段１３）
暗号処理手段１３は、ユニークＵＲＬデータ作成手段１４からタグＩＤ番号ＵＩＤとタイムスタンプＴＩＭのデータを与えられ、暗号鍵Ｋｅｙを用いて暗号化文字列ＳＥＣを作成する。
【００２９】
（タグ取外し検知手段１５）
無線ＩＣタグ１０はタグ取外し検知手段１５を備えることができる。タグ取外し検知手段１５は、タグが取り外される際に無線ＩＣタグ１０の回路の特定箇所が切断や除去されるように構成し無線ＩＣタグ１０の回路に電気的な変化を生じさせ、その電気的な変化を検出する。
【００３０】
そして、無線ＩＣタグ１０は、タグの取外し後は、検出結果の取外し情報として、タグ取外し検知フラグＯＰＦを記憶する。そうして、取外しされてタグ取外し検知フラグＯＰＦが立っている無線ＩＣタグ１０は、携帯端末装置２０からアクセスされた場合に、タグ取外し検知フラグＯＰＦが立っている旨のレスポンスを返信する事でタグ取り外しの有無を携帯端末装置２０に通知する。
【００３１】
（ユニークＵＲＬデータ作成手段１４）
ユニークＵＲＬデータ作成手段１４は、暗号処理手段１３に作成させた暗号化文字列ＳＥＣを組み込んだユニークＵＲＬデータＵＲＬを、無線ＩＣタグ１０への携帯端末装置２０のアクセス毎に新しく作成して、携帯端末装置２０に送信する。
【００３２】
（ユニークＵＲＬデータＵＲＬ）
暗号処理手段１３が、タグＩＤ番号ＵＩＤとタイムスタンプＴＩＭのデータと、暗号鍵Ｋｅｙを用いて暗号化文字列ＳＥＣを作成する。
【００３３】
ユニークＵＲＬデータ作成手段１４は、その暗号化文字列ＳＥＣと、タグＩＤ番号ＵＩＤとタイムスタンプＴＩＭの情報を組み合わせたユニークＵＲＬデータＵＲＬを作成して
携帯端末装置２０に送信する。
【００３４】
ユニークＵＲＬデータＵＲＬとして、例えば、位置情報管理サーバ３０を指定したｈｔｔｐ：／／×××．ｃｏｍ／に、タグＩＤ番号ＵＩＤのｉｄ０２と、タイムスタンプＴＩＭ○○○と暗号化文字列ＳＥＣ△△△を組み合わせた、「ｈｔｔｐ：／／×××．ｃｏｍ／Ｌｏｃ０１−ｉｄ０２○○○△△△」のようなＵＲＬデータを作成する。
【００３５】
ユニークＵＲＬデータＵＲＬは、そのデータを作成する時刻での送信のみに適用される、毎回異なるデータである。
【００３６】
（携帯端末装置２０）
携帯端末装置２０は図１の様に、近距離無線通信手段２１と遠距離無線通信手段２２と、記憶手段に記憶した位置情報表示アプリケーションプログラムで構成する位置情報表示手段２３を有する。
【００３７】
（位置情報表示手段２３）
携帯端末装置２０の位置情報表示手段２３は、近距離無線通信手段２１を用いて、店舗に設置された無線ＩＣタグ１０から、タグＩＤ番号ＵＩＤの情報を含むユニークＵＲＬデータＵＲＬを受信する。
【００３８】
位置情報表示手段２３は、無線ＩＣタグ１０から受信したユニークＵＲＬデータＵＲＬを位置情報管理サーバ３０に送信し、その無線ＩＣタグ１０の認証を依頼する。
【００３９】
携帯端末装置２０は、位置情報管理サーバ３０から、無線ＩＣタグ１０のユニークＵＲＬデータＵＲＬの照合チェック結果と、コンテンツデータＣＮＤを受信する。携帯端末装置２０の位置情報表示手段２３は、そのコンテンツデータＣＮＤを利用者に視聴させる。
【００４０】
（位置情報管理サーバ３０）
位置情報管理サーバ３０は、図１のように、タグ設置位置データベース３１と、暗号処理手段３２と、サーバ側ユニークＵＲＬデータ作成手段３３と、ユニークＵＲＬデータ照合手段３４と、コンテンツ配信手段３５を有する。
【００４１】
（タグ設置位置データベース３１）
位置情報管理サーバ３０は、位置情報取得システム事業者の拠点端末装置４０から、タグＩＤ番号ＵＩＤの無線ＩＣタグ１０に書き込んだ暗号鍵Ｋｅｙを受信し、その無線ＩＣタグ１０のタグＩＤ番号ＵＩＤに暗号鍵Ｋｅｙのデータを紐付けて記録したＩＣタグ配布情報３１ａを作成して、タグ設置位置データベース３１に記憶させる。
【００４２】
次に、位置情報管理サーバ３０は、施設運営者の施設端末装置５０から、タグＩＤ番号ＵＩＤの無線ＩＣタグ１０を設置した店舗位置番号ＮＰを受信し、タグ設置位置データベース３１のタグＩＤ番号ＵＩＤのＩＣタグ配布情報３１ａに店舗位置番号ＮＰを記録する。
【００４３】
その後に、位置情報管理サーバ３０は、携帯端末装置２０を介して無線ＩＣタグ１０からユニークＵＲＬデータＵＲＬを受信した場合に、ユニークＵＲＬデータＵＲＬからタグＩＤ番号ＵＩＤとタイムスタンプＴＩＭを抽出する。そして、タグ設置位置データベース３１から、タグＩＤ番号ＵＩＤを記録したＩＣタグ配布情報３１ａを検索して読み出す。
【００４４】
（サーバ側ユニークＵＲＬデータ作成手段３３）
位置情報管理サーバ３０は、タグ設置位置データベース３１に、そのタグＩＤ番号ＵＩ
ＤのＩＣタグ配布情報３１ａが登録されている場合は、サーバ側ユニークＵＲＬデータ作成手段３３を用いて以下の様にしてユニークＵＲＬデータＵＲＬを作成する
【００４５】
サーバ側ユニークＵＲＬデータ作成手段３３は、そのＩＣタグ配布情報３１ａから暗号鍵Ｋｅｙを読み出す。次に、サーバ側ユニークＵＲＬデータ作成手段３３は、暗号処理手段３２に、ユニークＵＲＬデータＵＲＬから抽出したタイムスタンプＴＩＭとタグＩＤ番号ＵＩＤとそのタグＩＤ番号ＵＩＤ用の暗号鍵Ｋｅｙを入力して、暗号化文字列ＳＥＣを作成させる。次に、サーバ側ユニークＵＲＬデータ作成手段３３は、その暗号化文字列ＳＥＣと、タグＩＤ番号ＵＩＤとリードカウンタとライトカウンタのカウント値の情報を組み合わせたユニークＵＲＬデータＵＲＬを作成する。
【００４６】
（ユニークＵＲＬデータ照合手段３４）
位置情報管理サーバ３０のユニークＵＲＬデータ照合手段３４が、携帯端末装置２０を介して無線ＩＣタグ１０から受信したユニークＵＲＬデータＵＲＬと、サーバ側ユニークＵＲＬデータ作成手段３３が算出したユニークＵＲＬデータＵＲＬを照合する。照合の結果、両データが異なる場合は、無線ＩＣタグ１０を認証せず、処理を終了する。
【００４７】
ユニークＵＲＬデータ照合手段３４は、サーバ側ユニークＵＲＬデータ作成手段３３が算出したユニークＵＲＬデータＵＲＬが、無線ＩＣタグ１０から受信した無線ＩＣタグ１０のユニークＵＲＬデータＵＲＬと一致した場合は、無線ＩＣタグ１０を正当と判定して、無線ＩＣタグ１０を認証する。
【００４８】
（コンテンツデータＣＮＤ）
位置情報管理サーバ３０は、ユニークＵＲＬデータ照合手段３４が無線ＩＣタグ１０を認証した場合は、コンテンツ配信手段３５を用いて、コンテンツデータＣＮＤを作成する。そして、その無線ＩＣタグ１０のユニークＵＲＬデータＵＲＬの照合チェック結果と、コンテンツデータＣＮＤを携帯端末装置２０に返信する。
【００４９】
（位置情報取得システムの動作手順）
次に、位置情報取得システムの詳細な動作手順を、図２から図４のフローチャートを参照して説明する。
【００５０】
（位置情報管理サーバ３０への無線ＩＣタグ１０の登録処理手順）
図２は、無線ＩＣタグ１０が有するタグＩＤ番号ＵＩＤを位置情報管理サーバ３０に登録し、タグに取り付けた正当な無線ＩＣタグ１０を記憶させる処理の流れを示すフローチャートである。
【００５１】
（無線ＩＣタグの製造・発行）
タグ発行事業者は、無線ＩＣタグ１０を生産した際に、タグＩＤ番号ＵＩＤを生成して、発行した無線ＩＣタグ１０に記憶させる。タグＩＤ番号ＵＩＤは、英数字等の記号により特定できるものであり、その記号が重複しないように割り当てる。
【００５２】
位置情報管理サーバ３０を構築及び運営する位置情報取得システム事業者は、タグ発行事業者から上述の発行処理がされた発行済の無線ＩＣタグ１０を受領する。
【００５３】
（ステップＳ１）
位置情報取得システム事業者は、拠点端末装置４０のリーダライタによって、無線ＩＣタグ１０のタグＩＤ番号ＵＩＤのデータを読取る。
【００５４】
（ステップＳ２）
拠点端末装置４０は、位置情報管理サーバ３０に、その無線ＩＣタグ１０のタグＩＤ番号ＵＩＤを送信して、無線ＩＣタグ１０に書き込むべき暗号鍵Ｋｅｙを要求する。
【００５５】
（ステップＳ３）暗号鍵Ｋｅｙの作成
位置情報管理サーバ３０は、無線ＩＣタグ１０に書き込むべき暗号鍵Ｋｅｙを作成し、拠点端末装置４０に暗号鍵Ｋｅｙを送信する。また、位置情報管理サーバ３０は、そのタグＩＤ番号ＵＩＤと暗号鍵Ｋｅｙを紐付けて記録したＩＣタグ配布情報３１ａをタグ設置位置データベース３１に記憶する。
【００５６】
（ステップＳ４）
拠点端末装置４０は、受信した暗号鍵Ｋｅｙを、リーダライタによって、無線ＩＣタグ１０に書き込み、位置情報取得システム用の無線ＩＣタグ１０を発行する。
【００５７】
次に、位置情報取得システム事業者は、その無線ＩＣタグ１０を、施設運営者に配布する。
【００５８】
（ステップＳ５）無線ＩＣタグの店舗位置番号ＮＰの記録要求
施設運営者は、受領した無線ＩＣタグ１０のタグＩＤ番号ＵＩＤを、施設端末装置５０のリーダライタによって読み取り、そのタグＩＤ番号ＵＩＤに対して店舗位置番号ＮＰを指定して、その情報の登録要求コマンドを位置情報管理サーバ３０に送信する。
【００５９】
（ステップＳ６）無線ＩＣタグの施設への設置
そして、施設運営者は、その無線ＩＣタグ１０を、施設の店舗位置番号ＮＰで指定した位置に設置する。
【００６０】
（ステップＳ７）ＩＣタグ配布情報３１ａに店舗位置番号ＮＰを記録
位置情報管理サーバ３０は、施設端末装置５０から、タグＩＤ番号ＵＩＤとタグを設置する施設の位置の登録要求コマンドを受信すると、タグ設置位置データベース３１のタグＩＤ番号ＵＩＤのＩＣタグ配布情報３１ａに、その店舗位置番号ＮＰを記録する。
【００６１】
（利用者に対する位置情報表示処理手順）
図３に、利用者の携帯端末装置２０が施設に設置された無線ＩＣタグ１０からユニークＵＲＬデータＵＲＬを読取り、コンテンツデータＣＮＤを位置情報管理サーバ３０から受信して利用者に視聴させる処理手順を示す。
【００６２】
（ステップＳ１１）
図３において、まず、利用者が、自分の携帯端末装置２０を、店舗に設置された無線ＩＣタグ１０に近づける（かざす）。
【００６３】
携帯端末装置２０の位置情報表示手段２３は、近距離無線通信手段２１を用いて、無線ＩＣタグ１０に、ユニークＵＲＬデータＵＲＬ要求コマンドを送信する。
【００６４】
（ステップＳ１２）
無線ＩＣタグ１０は携帯端末装置２０からユニークＵＲＬデータＵＲＬ要求コマンドを受信すると、先ず、ユニークＵＲＬデータ作成手段１４が、暗号処理手段１３に、タグＩＤ番号ＵＩＤとタイムスタンプＴＩＭと、暗号鍵Ｋｅｙを入力し、ハッシュ関数を用いる等の処理により暗号化文字列ＳＥＣを生成させる。
【００６５】
（ステップＳ１３）
次に、ユニークＵＲＬデータ作成手段１４は、その暗号化文字列ＳＥＣと、タグＩＤ番
号ＵＩＤとタイムスタンプＴＩＭの情報を組み合わせたユニークＵＲＬデータＵＲＬを作成する。
【００６６】
（ステップＳ１４）
無線ＩＣタグ１０は、作成した、タグＩＤ番号ＵＩＤの情報を含むユニークＵＲＬデータＵＲＬを携帯端末装置２０に送信する。
【００６７】
（ステップＳ１４’）
無線ＩＣタグ１０からユニークＵＲＬデータＵＲＬを受信した携帯端末装置２０は、位置情報管理サーバ３０に、無線ＩＣタグ１０から受信した、タグＩＤ番号ＵＩＤの情報を含むユニークＵＲＬデータＵＲＬを送信する。
【００６８】
（ステップＳ１５）
位置情報管理サーバ３０は、受信したユニークＵＲＬデータＵＲＬからタグＩＤ番号ＵＩＤとタイムスタンプＴＩＭを抽出する。
【００６９】
（ステップＳ１６）
位置情報管理サーバ３０は、サーバ側ユニークＵＲＬデータ作成手段３３が、タグ設置位置データベース３１のＩＣタグ配布情報３１ａから、そのタグＩＤ番号ＵＩＤ用の暗号鍵Ｋｅｙを読み出す。
【００７０】
（ステップＳ１７）
そして、サーバ側ユニークＵＲＬデータ作成手段３３は、暗号処理手段３２に、タグＩＤ番号ＵＩＤと、そのタイムスタンプＴＩＭと、そのタグＩＤ番号ＵＩＤ用の暗号鍵Ｋｅｙを入力して、暗号化文字列ＳＥＣを作成させる。
【００７１】
（ステップＳ１８）
サーバ側ユニークＵＲＬデータ作成手段３３は、その暗号化文字列ＳＥＣと、タグＩＤ番号ＵＩＤとタイムスタンプＴＩＭの情報を組み合わせたユニークＵＲＬデータＵＲＬを作成する。
【００７２】
（ステップＳ１９）
ユニークＵＲＬデータ照合手段３４は、サーバ側ユニークＵＲＬデータ作成手段３３が算出して作成したユニークＵＲＬデータＵＲＬを、携帯端末装置２０を介して無線ＩＣタグ１０から受信したユニークＵＲＬデータＵＲＬと照合する。作成したユニークＵＲＬデータＵＲＬと受信したユニークＵＲＬデータＵＲＬが一致しなかった場合は、認証不良の判定結果情報を携帯端末装置２０に送信する。
【００７３】
（ステップＳ２０）
位置情報管理サーバ３０は、ユニークＵＲＬデータ照合手段３４の照合結果が一致した場合、コンテンツ配信手段３５を用いて、コンテンツデータＣＮＤを作成し、携帯端末装置２０に送信する。
【００７４】
こうして、位置情報管理サーバ３０が、正しいユニークＵＲＬデータＵＲＬを送信する無線ＩＣタグを認識した場合のみにコンテンツデータＣＮＤを携帯端末装置２０に配信するように、コンテンツデータＣＮＤの配信の可否を定める。
【００７５】
（ステップＳ２１）
位置情報管理サーバ３０から、無線ＩＣタグ１０を正当なものと判定した判定結果情報とコンテンツデータＣＮＤを受信した携帯端末装置２０は、位置情報表示手段２３を用い
て、コンテンツデータＣＮＤを利用者に視聴させる。
【００７６】
＜第２の実施形態＞
第２の実施形態は、図４のブロック図の位置情報取得システムを構成する。
【００７７】
第２の実施形態が第１の実施形態と相違する点は、ワンタイム情報生成手段としてカウンタ手段１６を持つ事である。
【００７８】
（カウンタ手段１６）
カウンタ手段１６は、無線ＩＣタグ１０のリードカウンタとライトカウンタのカウント値を記憶する。すなわち、無線ＩＣタグ１０に対するデータの読み書きのための、リードクロックによってカウントアップされるリードカウンタのカウント値と、データを書き込むためのライトクロックによってカウントアップされるライトカウンタのカウンタ値ＣＵＴを記憶する。
【００７９】
（ユニークＵＲＬデータＵＲＬ）
無線ＩＣタグ１０の暗号処理手段１３が、タグＩＤ番号ＵＩＤとカウンタ手段１６から得たカウント値と、暗号鍵Ｋｅｙを用いて暗号化文字列ＳＥＣを作成する。ユニークＵＲＬデータ作成手段１４は、その暗号化文字列ＳＥＣと、タグＩＤ番号ＵＩＤとカウンタ手段１６から得たカウント値の情報を組み合わせたユニークＵＲＬデータＵＲＬを作成する。
【００８０】
こうして、無線ＩＣタグ１０は、暗号処理手段１３とユニークＵＲＬデータ作成手段１４を用いて、タグＩＤ番号ＵＩＤの情報と、携帯端末装置２０からのアクセス毎に変わるリードカウンタとライトカウンタのカウント値を含むユニークＵＲＬデータＵＲＬを作成して、携帯端末装置２０へ送信する。
【００８１】
ユニークＵＲＬデータＵＲＬは、そのデータを作成する毎に、リードカウンタとライトカウンタのカウント値が変わる事で変わる、毎回異なるデータである。
【００８２】
（位置情報管理サーバ３０）
（サーバ側ユニークＵＲＬデータ作成手段３３）
第２の実施形態の位置情報管理サーバ３０のサーバ側ユニークＵＲＬデータ作成手段３３は、無線ＩＣタグ１０から携帯端末装置２０を介して受信したユニークＵＲＬデータＵＲＬから、タグＩＤ番号ＵＩＤとカウンタ値ＣＵＴを抽出する。
【００８３】
そして、サーバ側ユニークＵＲＬデータ作成手段３３は、暗号処理手段３２に、タグＩＤ番号ＵＩＤとカウンタ値ＣＵＴと、そのタグＩＤ番号ＵＩＤ用の暗号鍵Ｋｅｙを入力して、暗号化文字列ＳＥＣを作成させる。
【００８４】
次に、サーバ側ユニークＵＲＬデータ作成手段３３は、その暗号化文字列ＳＥＣと、タグＩＤ番号ＵＩＤとカウンタ値ＣＵＴの情報を組み合わせたユニークＵＲＬデータＵＲＬを作成する。
【００８５】
（ユニークＵＲＬデータ照合手段３４）
位置情報管理サーバ３０のユニークＵＲＬデータ照合手段３４は、携帯端末装置２０を介して無線ＩＣタグ１０から受信したユニークＵＲＬデータＵＲＬと、サーバ側ユニークＵＲＬデータ作成手段３３が算出したユニークＵＲＬデータＵＲＬを照合し、両データが異なる場合は、無線ＩＣタグ１０を認証せず、処理を終了する。
【００８６】
ユニークＵＲＬデータ照合手段３４は、サーバ側ユニークＵＲＬデータ作成手段３３が算出したユニークＵＲＬデータＵＲＬが、無線ＩＣタグ１０から受信した無線ＩＣタグ１０のユニークＵＲＬデータＵＲＬと一致した場合は、無線ＩＣタグ１０を正当と判定して、無線ＩＣタグ１０を認証する。
【００８７】
（コンテンツデータＣＮＤ）
位置情報管理サーバ３０は、ユニークＵＲＬデータ照合手段３４が無線ＩＣタグ１０を認証した場合は、コンテンツ配信手段３５を用いて、コンテンツデータＣＮＤを作成する。そして、その無線ＩＣタグ１０のユニークＵＲＬデータＵＲＬの照合チェック結果と、コンテンツデータＣＮＤを携帯端末装置２０に返信する。
【００８８】
（位置情報管理サーバ３０への無線ＩＣタグ１０の登録処理手順）
第２の実施形態における位置情報管理サーバ３０への無線ＩＣタグ１０の登録処理手順は第１の実施形態と同様に図２のフローチャートに従う。
【００８９】
（利用者に対する位置情報表示処理手順）
図５に、第２の実施形態における、利用者の携帯端末装置２０が施設に設置された無線ＩＣタグ１０からユニークＵＲＬデータＵＲＬを読取り、コンテンツデータＣＮＤを位置情報管理サーバ３０から受信して利用者に視聴させる処理手順を示す。
【００９０】
（ステップＳ３１）
図５において、第１の実施形態と同様に、携帯端末装置２０の位置情報表示手段２３が、近距離無線通信手段２１を用いて、無線ＩＣタグ１０に、ユニークＵＲＬデータＵＲＬ要求コマンドを送信する。
【００９１】
（ステップＳ３２）
無線ＩＣタグ１０は携帯端末装置２０からユニークＵＲＬデータＵＲＬ要求コマンドを受信すると、先ず、ユニークＵＲＬデータ作成手段１４が、暗号処理手段１３に、タグＩＤ番号ＵＩＤとカウンタ手段１６から得たカウンタ値ＣＵＴと、暗号鍵Ｋｅｙを入力し、ハッシュ関数を用いる等の処理により暗号化文字列ＳＥＣを生成させる。
【００９２】
（ステップＳ３３）
次に、ユニークＵＲＬデータ作成手段１４は、その暗号化文字列ＳＥＣと、タグＩＤ番号ＵＩＤとカウンタ値ＣＵＴの情報を組み合わせたユニークＵＲＬデータＵＲＬを作成する。
【００９３】
（ステップＳ３４〜Ｓ３４’）
無線ＩＣタグ１０は、作成した、タグＩＤ番号ＵＩＤの情報を含むユニークＵＲＬデータＵＲＬを携帯端末装置２０を介して位置情報管理サーバ３０に送信する。
【００９４】
（ステップＳ３５）
位置情報管理サーバ３０は、受信したユニークＵＲＬデータＵＲＬからタグＩＤ番号ＵＩＤとカウンタ値ＣＵＴを抽出する。
【００９５】
（ステップＳ３６）
位置情報管理サーバ３０は、サーバ側ユニークＵＲＬデータ作成手段３３が、タグ設置位置データベース３１のＩＣタグ配布情報３１ａから、そのタグＩＤ番号ＵＩＤ用の暗号鍵Ｋｅｙを読み出す。
【００９６】
（ステップＳ３７）
そして、サーバ側ユニークＵＲＬデータ作成手段３３は、暗号処理手段３２に、タグＩＤ番号ＵＩＤと、そのカウンタ値ＣＵＴと、そのタグＩＤ番号ＵＩＤ用の暗号鍵Ｋｅｙを入力して、暗号化文字列ＳＥＣを作成させる。
【００９７】
（ステップＳ３８）
サーバ側ユニークＵＲＬデータ作成手段３３は、その暗号化文字列ＳＥＣと、タグＩＤ番号ＵＩＤとカウンタ値ＣＵＴの情報を組み合わせたユニークＵＲＬデータＵＲＬを作成する。
【００９８】
（ステップＳ３９〜Ｓ４１）
ユニークＵＲＬデータ照合手段３４が、サーバ側ユニークＵＲＬデータ作成手段３３が算出して作成したユニークＵＲＬデータＵＲＬと、受信したユニークＵＲＬデータＵＲＬを照合し、照合結果が一致すれば、コンテンツ配信手段３５がコンテンツデータＣＮＤを携帯端末装置２０に送信する。そして、携帯端末装置２０が、位置情報表示手段２３を用いて、コンテンツデータＣＮＤを利用者に視聴させる。
【符号の説明】
【００９９】
１０・・・無線ＩＣタグ
１１・・・近距離無線通信手段
１２・・・タイムスタンプ生成器
１３・・・暗号処理手段
１４・・・ユニークＵＲＬデータ作成手段
１５・・・タグ取外し検知手段
１６・・・カウンタ手段
２０・・・携帯端末装置
２１・・・近距離無線通信手段
２２・・・遠距離無線通信手段
２３・・・位置情報表示手段
３０・・・位置情報管理サーバ
３１・・・タグ設置位置データベース
３１ａ・・・ＩＣタグ配布情報
３２・・・暗号処理手段
３３・・・サーバ側ユニークＵＲＬデータ作成手段
３４・・・ユニークＵＲＬデータ照合手段
３５・・・コンテンツ配信手段
４０・・・拠点端末装置
５０・・・施設端末装置
１００・・・通信ネットワーク
ＣＮＤ・・・コンテンツデータ
ＣＵＴ・・・カウンタ値
Ｋｅｙ・・・暗号鍵
ＮＰ・・・店舗位置番号
ＯＰＦ・・・タグ取外し検知フラグ
ＳＥＣ・・・暗号化文字列
ＴＩＭ・・・タイムスタンプ
ＵＩＤ・・・タグＩＤ番号
ＵＲＬ・・・ユニークＵＲＬデータ
【図１】
2020098392.tif 000003
【図２】
2020098392.tif 000004
【図３】
2020098392.tif 000005
【図４】
2020098392.tif 000006
【図５】
2020098392.tif 000007